(57)【特許請求の範囲】
【請求項１】
少なくとも２つの特定の位置をとることができる可動要素（１）と、前記可動要素（１）と連動して前記少なくとも２つの特定の位置を定める制御カム（６）と、を備えた時計用装置であって、前記装置が更に、前記制御カム（６）と一体化されたロック要素（１２）と、前記可動要素（１）によって制御され且つ前記ロック要素（１２）と連動して、前記可動要素（１）が前記特定の位置のうちの１つにあるときに衝撃の作用による前記可動要素（１）の移動を阻止又は制限し、従って前記可動要素（１）が前記特定の位置から離脱するのを阻止するよう設計された中間要素（９）と、備えることを特徴とする、時計用装置。
【請求項２】
前記可動要素は、カップリング要素（１）である、請求項１に記載の時計用装置。
【請求項３】
前記可動装置（１）は、連結位置と非連結位置とをとることができるカップリングホイール（２）を保持する、請求項１又は２に記載の時計用装置。
【請求項４】
前記制御カムは、前記可動要素（１）と連動して前記カップリングホイール（２）の前記連結位置及び前記非連結位置を定めるカップリングカム（６）である、請求項３に記載の時計用装置。
【請求項５】
前記中間要素（９）は、前記可動要素（１）によって保持されるとともに、前記カップリングホイール（２）が連結位置にあるときに衝撃の作用による前記可動要素（１）の移動を阻止又は制限して、従って前記カップリングホイール（２）が前記連結位置から離脱するのを阻止するため前記ロック要素と連動する、請求項３又は４に記載の時計用装置。
【請求項６】
前記カップリングカムは、カラムホイール（６）である、請求項４または５に記載の時計用装置。
【請求項７】
前記ロック要素（１２）は、フックホイール（１２）である、請求項４から６の何れかに記載の時計用装置。
【請求項８】
前記フックホイール（１２）は、前記カップリングカム（６）と同軸上にある、請求項７に記載の時計用装置。
【請求項９】
前記フックホイール（１２）は、前記カラムホイール（６）上のコラム（６ｂ）と同数のフック（１１）を有する、請求項６から８の何れかに記載の時計用装置。
【請求項１０】
前記中間要素は、端部に前記フック（１０）の形状を有するアーム（９）である、請求項７から９の何れかに記載の時計用装置。
【請求項１１】
前記アーム（９）のフック（１０）及び前記フックホイール（１２）のフック（１１）は、前記カップリングホイール（２）が前記連結位置にあるときに衝撃の作用による前記カップリング要素（１）の移動を制限する際に、連動時に前記フックの間に作動遊びが存在するような形状にされている、請求項１０に記載の時計用装置。
【請求項１２】
前記アーム（９）のフック（１０）及び前記フックホイール（１２）のフック（１１）は各々、前記フックが連動するときに基本的に平行な内部フランク（１０１、１１１）を有する、請求項１１に記載の時計用装置。
【請求項１３】
前記アーム（９）のフック（１０）及び前記フックホイール（１２）のフック（１１）は各々、前記フックが連動して衝撃の作用による前記カップリング要素（１）の移動を阻止する際に前記フックの間に作動遊びが存在しないような傾斜した内部フランク（１０２、１１２）を有する、請求項１０に記載の時計用装置。
【請求項１４】
前記中間要素は、その位置が前記可動要素（１）の位置に関連して調整されるよう構成される、請求項１から１３の何れかに記載の時計用装置。
【請求項１５】
前記中間要素（９）は、２つのガイドピン（１６）によって誘導されるとともに、前記カップリングホイール（２）の連結位置を調整できるように、前記可動要素（１）の開口（１５）を貫通する少なくとも１つの保持スクリュー（１３）によって前記可動要素（１）に取り付けられる、請求項３から１４の何れかに記載の時計用装置。
【請求項１６】
前記カップリングホイール（２）の連結位置を精密に調整できるように、前記可動要素（１）に関連して中間要素（９）の位置を調整する偏心部（１４）を更に備える、請求項３から１５の何れかに記載の時計用装置。
【請求項１７】
請求項２から１６の何れかに記載のカップリング装置を備えたクロノグラフ機構。
【請求項１８】
請求項１から１６の何れかに記載の時計用装置を備えた時計。
【発明の詳細な説明】
【技術分野】
【０００１】
本発明は、制御カムの作用により複数の特定の位置をとることができる可動要素を備えた時計用装置に関する。より詳細には、本発明は、特にクロノグラフ用のカップリング装置に関する。
【背景技術】
【０００２】
クロノグラフにおいて、カップリング装置は、時回り輪列の可動体の運動を、クロノグラフの針を保持するクロノグラフホイールに伝達することを可能にする。カップリング装置は、カップリングホイールを備え、該カップリングホイールは、クロノグラフの作動位置に相当し且つクロノグラフホイールがカップリングホイールを介して時回り輪列の可動体によって駆動される連結位置と、クロノグラフの停止位置に相当し且つクロノグラフホイールがカップリングホイールを介して時回り輪列の可動体によって駆動されない非連結位置と、を占めることができる。
【０００３】
カップリングホイールを保持するカップリングレバーは、制御要素と連動して、カップリングホイールを連結位置及び非連結位置に移動させる。ジャンパー、スプリング、及び止め具により、特にクロノグラフが作動状態であるときにカップリング装置の要素が連結位置又は非連結位置にあることが確保される。
【０００４】
しかしながら、カップリングレバーの制御スプリングによって作用する復元力よりも大きな力を生じる突発的な運動又は衝突は、カップリングレバーの運動及びカップリングホイールの運動を引き起こす可能性がある。その結果、クロノグラフホイールの同調が少しの間中断されて、計測に歪みが生じる可能性がある。
【発明の概要】
【発明が解決しようとする課題】
【０００５】
本発明の目的は、少なくとも２つの特定の位置をとることができる可動要素を備え、衝撃の作用によりこの可動要素が特定の位置の１つから離脱するのを防ぐことを可能にする時計用装置を提供することである。詳細には、本発明の目的は、時計用カップリング装置、及び詳細には、上述の問題を解決し、衝突又は突発的運動を生じたときに意図せずにカップリング装置が離脱するのを防止し、結果として計測を保証することを可能にするクロノグラフ用カップリング装置を提供することである。
【課題を解決するための手段】
【０００６】
このため、本発明は、この目的として、少なくとも２つの特定の位置をとることができる可動要素と、可動要素と連動して少なくとも２つの特定の位置を定める制御カムと、を備えた時計用装置であって、装置が更に、制御カムと一体化されたロック要素と、可動要素によって制御され且つロック要素と連動して、可動要素が特定の位置のうちの１つにあるときに衝撃の作用による可動要素の移動を阻止又は制限し、従って可動要素が特定の位置から移動するのを阻止するよう設計された中間要素と、備えることを特徴とする時計用装置を有する。
【０００７】
本発明は、その目的として、請求項１７に記載のクロノグラフ機構並びに請求項１８に記載の時計を有する。
【０００８】
本発明の他の特徴及び利点は、添付図面を参照した本発明の実施形態に関する以下の詳細な説明を読むことにより明らかになるであろう。
【図面の簡単な説明】
【０００９】
【図１】連結位置にある本発明の実施形態によるカップリング装置の上面図である。
【図２】非連結位置にある本発明の実施形態によるカップリング装置の上面図である。
【図３】非結合位置にある本発明の実施形態による装置のコラムホイール及びカップリングレバーを詳細に示した図である。
【図４】非結合位置に戻る直前の結合位置における本発明の実施形態による装置のコラムホイール及びカップリングレバーを詳細に示した図である。
【図５】本発明による装置のフックの形状の変形形態を示す図である。
【図６】本発明による装置のフックの形状の変形形態を示す図である。
【発明を実施するための形態】
【００１０】
図１から図６に例示された実施形態において、本発明による時計用装置は、クロノグラフ用カップリング装置である。
【００１１】
本発明の例示の実施形態によるカップリング装置は、点Ａ（例えば、ブリッジ、又はクロノグラフ機構を備えたムーブメントプレート上にある）を中心に枢動し、カップリングホイール２を保持するカップリングレバー１を備える。カップリングホイール２は、時計のベースムーブメントの可動体と恒久的に噛合する。この実施形態では、ベースムーブメントによるカップリングホイール２の駆動は、同様に点Ａにて枢動するドライビングホイール３を介して行われる。このドライビングホイール３は、従来の方法でムーブメントの時回り輪列に（例えば、第２ホイールに）接続される。
【００１２】
カップリングレバー１は、図１に例示され、カップリングホイール２がクロノグラフ機構のクロノグラフホイール４と噛合する連結位置にある第１の位置と、図２に例示され、カップリングホイール２がクロノグラフホイール４と噛合しない非連結位置にある第２の位置との間で点Ａにて枢動する。従って、カップリングレバー１が第１の位置にあるときには、クロノグラフは作動状態にあり、他方、カップリングレバー１が第２の位置にあるときには、クロノグラフは停止している。
【００１３】
カップリングレバー１は、その両端の一方において、上記カップリングレバー１の位置決めのためカップリング装置の制御カム６と連動するように設計されたビーク５（図３及び図４）を有する。例示の実施形態において、制御カムはカラムホイール６である。従来の方式では、カラムホイール６は、歯６ａと、歯６ａに対して同心状に垂直に配列されたカラム６ｂ（図３及び図４）と、を備える。カラムホイールジャンパー８は、歯６ａと連動して、カラムホイール６の安定した正確な位置を決定付ける。クロノグラフはまた、カラムホイール６を駆動するために歯６ａと連動するクロノグラフ制御装置（図示せず）を備える。
【００１４】
カップリングレバー１は、レバースプリング７の作用を受けて、レバー１を移動可能にし、カラムホイール６との接触状態を維持する傾向がある。図１及び図４に示される連結位置では、カップリングレバー１のビーク５は、カラムホイール６の２つのカラム６ｂ間に係合される。
【００１５】
本発明の本質的な態様によれば、カップリングレバー１はまた、アーム９を制御する。例示の実施形態において、アーム９はカップリングレバー１に取り付けられる。アーム９の自由端部は、第１のフック１０の形状を有する。アーム９及び第１のフック１０は、カラムホイール６と一体化されたロック要素と連動するよう構成される。例示の実施形態において、ロック要素は、円周上に半径方向に分散されたフック１１を有するフックホイール１２である。
【００１６】
図１及び図４に例示される連結位置において、カップリングレバー１のビーク５は、カラムホイール６の２つのカラム６ｂ間に係合される。すなわち、カップリングホイール２は、クロノグラフホイール４と噛合する。フックホイール１２及びアーム９は、この連結位置において、アーム９の第１のフック１０が、フックホイール１２の第２フック１１と連動して、衝撃によりレバースプリング７の作用に抗してレバー１が移動使用するときに、カップリングホイール２が連結位置にあり且つクロノグラフホイール４と噛合している第１の位置にあるカップリングレバー１の移動を阻止又は制限するような形状にされる。加えて、この連結位置において、アーム９の第１のフック１０はまた、フックホイール１２の２つのフック１１間に当接し、クロノグラフホイール４と正しく噛合するようにカップリングホイール２を正確に位置決めする。
【００１７】
図２及び図３に例示される非連結位置において、カップリングレバー１のビーク５は、カラムホイール６のカラム６ｂに寄りかかっている。カップリングホイール２は、もはやクロノグラフホイール４と噛合していない。この位置において、フックホイール１２及びアーム９は連動していない。
【００１８】
例示の実施形態において、フックホイール１２は、カラムホイール６上のカラム６ｂと同数の第２のフック１１を有する。
【００１９】
図１及び図４に例示されるカップリングホイール２の連結位置から、クロノグラフの制御装置（図示せず）の作動により、カラムホイール６の時計回りの枢動が引き起こされる。フックホイール１２はカラムホイール６と一体化されているので、従って、フックホイール１２はカラムホイール６と同時に枢動し、第１のフック１０をカップリングレバー１のアーム９から解放した後、カラムホイール６のカラム６ｂがカップリングレバー１のビーク５と接触して、従来の方式で非連結位置に戻るように枢動させる。
【００２０】
図２及び図３に例示される非連結位置から、クロノグラフの制御装置（図示せず）の作動により、カラムホイール６の時計回りの枢動が引き起こされる。その結果、カップリングレバー１のビーク５は、カラムホイール６の２つのカラム６ｂ間の所定スペースに入り込む。このようになることによって、アーム９の第１のフック１０は、カラムホイールと同時に枢動するフックホイール１２の第２のフック１１と当接する。第１及び第２のフック１０、１１は各々、第１の傾斜フランク１００、１１０を有する。フックが接触状態になったときに、傾斜フランク１００、１１０は、互いに滑動するような形状にされ、第１のフック１０が、第２のフック１１と連動してカップリングレバー１を保持する位置に戻るまで、アーム９の弾性変形により第１のフック１０の移動が引き起こされる。
【００２１】
従って、フックホイール１２、アーム９及びその第１のフック１０は、カップリングレバー１が第１の連結位置にあるときに、非連結位置に戻そうとすることになる衝撃の作用によりレバースプリング７の動きに抗したレバー１のあらゆる移動を制限又は阻止するように連動するような形状にされる。よって、レバースプリング７の力よりも大きな力をもたらす衝撃が生じた場合でも、カップリングレバー１は、フックホイール１２により第１の位置に保持され、カップリングホイール２は、計測を中断することなくクロノグラフホイール４と噛合したままである。加えて、カラムホイール６がカップリングホイール２の連結位置に相当する第１の安定位置から、カップリングホイール２の非連結位置に相当する第２の安定位置まで枢動すると、フックホイール１２がカラムホイール６と同時に枢動して第１のフック１０を解放するようにした後、カラムホイール６がカップリングレバー１を引き上げ、従って、カップリングホイール２が非連結位置にある第２の位置にカップリングレバー１が戻ることが可能になる。
【００２２】
図５に例示される第１の変形形態において、フックホイール１２の第２のフック１１は、第１のフック１０が装置の連結位置において連動するときに、フック１１とアーム９の第１のフック１０との間に作動遊びＪＡが存在するような形状を有する。衝撃が生じたときにカップリングホイール２とクロノグラフホイール４の係合解除を阻止するため、当該部品は、作動遊びＪＡによりカップリングホイール２の歯がクロノグラフホイール４の歯に対して侵入するのを保証できるようなサイズにされている。図５に例示されるこの第１の変形形態において、フックホイール１２の第２のフック１１及びアーム９の第１のフック１０のそれぞれの内部フランク１１１、１０１は、基本的に平行である。
【００２３】
図６に例示される第２の変形形態において、フックホイールの第２のフック１１は、フック１１及びアーム９のフック１０が装置の連結位置において連動するときに、第２のフック１１とフック１０との間に作動遊びが存在しないような形状を有する。図６例示するように、この変形形態において、フックホイール１２の第２のフック１１及びアーム９のフック１０は各々、レバー１の第１の連結位置における２つの点にて第１及び第２のフック１０、１１間が常に接触しているような傾斜した内部フランク１１２、１０２を有する。この変形形態において、装置の耐衝撃性は、第１及び第２のフック１０、１１の傾斜した内部フランク１０２、１１２の斜面によって決まる。
【００２４】
例示の実施形態において、アーム９は、２つのガイドピン１６によってカップリングレバー１上に位置付けられ、対応する溝１５を通ってカップリングレバー１内に各々ネジ留めされる２つの保持スクリュー１３によって保持される。偏心部１４は、カップリングレバー１に対してアーム９の第１のフック１０を移動させることを可能にする。カップリング装置の調整及び、特にクロノグラフホイール４の歯に対するカップリングホイール２の歯の侵入の調整は、以下のように行われる。カップリングホイール２の連結位置において、カップリングレバー２のビーク５は、カラムホイール６の２つのカラム６ｂ間に配置され、アーム９の端部は、フックホイール１２に当接しており、保持スクリュー１３は最初に緩められており、次いで、偏心部１４が回転すると、必要に応じてアーム９の移動を引き起こし、レバー１の位置及びカップリングホイール２の位置を調整する。所望の位置が見つかると、保持スクリュー１３が再度締結される。その後、カップリングレバー１及びそのアーム９が完全に調整される。
【００２５】
上記の実施形態は、単に例証として説明した。特に、クロノグラフ機構は、当業者には周知であり、本発明に関連しない他の何れかの従来の装置（制御装置、リセット装置、その他）を備えることができる。同様に、本発明は、クロノグラフ用のカップリング装置にもカップリング機構にも限定されない。
【００２６】
上述の実施形態において、アーム９は、弾性変形可能であり、カップリングレバーにより保持される。変形形態として、上記アームは、回転方向で移動可能でありスプリングなどの好適な弾性力の作用を受ける剛体のフィンガーとすることができる。上記フィンガーは、カップリングレバー上で枢動することができる。上記フィンガーは、ムーブメント上の他の場所で枢動することができ、上記レバーにより制御され、上記レバー及びフックホイールと連動して、レバーがその連結位置にあるときに、上記フィンガーが衝撃の作用によるレバーのあらゆる移動を阻止又は制限するように構成することができる。
【００２７】
一般的には、本発明は、少なくとも２つの特定の位置をとることができる可動要素と、上記可動要素と連動して少なくとも２つの特定の位置を定める制御カムとを備えた時計用装置に関する。本装置はまた、制御カムと一体化されたロック要素と、可動要素によって制御された中間要素とを備える。中間要素は、ロック要素と連動して、可動要素が特定の位置のうちの１つにあるときには、衝撃の作用による上記可動要素の移動を阻止又は制限し、従って、上記可動要素が特定の位置から離れるのを阻止するように設計される。
以上のことから、例えば、衝撃に耐え、以前として調整が簡潔且つ容易なまま作動上の安定性及び精度が改善されるカップリング装置のような、複数位置付け可能装置が提供される。
【図１】
0006527532.tif 000002
【図２】
0006527532.tif 000003
【図３】
0006527532.tif 000004
【図４】
0006527532.tif 000005
【図５】
0006527532.tif 000006
【図６】
0006527532.tif 000007